【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
地上デジタルテレビジョン放送、ＢＳデジタル放送および広帯域ＣＳデジタル放送の少なくとも１つを含む第１の事業体が放送する第１のサービス信号の送受信方法において、
送信側は、
送出部が、映像信号を含むコンテンツを送出すること、
ＥＭＭ送出部が、暗号化した第１キー（Ｋｗ）を含む前記第１の事業体の第１制御情報（ＥＭＭ）を送出すること、
ＥＣＭ送出部が、暗号化した第２キー（Ｋｓ）を含む前記第１の事業体の第２制御情報（ＥＣＭ）を送出すること、
スクランブラが、前記コンテンツを前記第２キー（Ｋｓ）でスクランブルすること、
多重化部が、前記スクランブルされた前記コンテンツ、前記第１の事業体の前記第１制御情報（ＥＭＭ）および前記第１の事業体の前記第２制御情報（ＥＣＭ）を多重化してストリームを出力すること、
を有し、
受信側は、
チューナ部が、前記第１の事業体が送出する前記第１のサービス信号を含む、前記地上デジタルテレビジョン放送、前記ＢＳデジタル放送および前記広帯域ＣＳデジタル放送の少なくとも１つを受信し、前記第１のサービス信号に含まれる、暗号化された前記第１キー（Ｋｗ）を含む前記第１の事業体の前記第１制御情報（ＥＭＭ）、暗号化された前記第２キー（Ｋｓ）を含む前記第１の事業体の前記第２制御情報（ＥＣＭ）ならびにスクランブルコンテンツを受信すること、
デスクランブラが、前記チューナ部から出力された前記スクランブルコンテンツをデス クランブルすること、
制御部が、
前記デスクランブラから出力される前記ストリームの所定のテーブルをチェックすること、前記所定のテーブルに含まれているパケットＩＤに基づいて、前記第１制御情報（ＥＭＭ）、前記第２制御情報（ＥＣＭ）を取り出すこと、前記チューナ部、前記デスクランブラを制御すること、
前記チューナ部により受信した前記第１の事業体の前記第１制御情報（ＥＭＭ）を第１バッファに格納し、前記チューナ部により受信した前記第１の事業体の前記第２制御情報（ＥＣＭ）を第２バッファに格納すること、
ＣＡＳモジュールが、前記制御部により制御され、前記第１の事業体の前記第１制御情報（ＥＭＭ）から、固有の第３キー（Ｋｍ）を用いて前記第１キー（Ｋｗ）を取得し、前記第１の事業体の前記第２制御情報（ＥＣＭ）から、取得された前記第１キー（Ｋｗ）を用いて、前記デスクランブラに与えるための前記第２キー（Ｋｓ）を取得すること、を備え、
さらに前記制御部は、
前記チューナ部により受信し前記第１バッファに格納した前記第１の事業体の前記第１制御情報（ＥＭＭ）に対応した第１コマンド送信を前記ＣＡＳモジュールに対して行う場合、所定の期間に第１コマンド送信を最小Ｒ（１以上の整数）個処理すべきことを前記第１の事業体あたりの処理頻度として設定しており、また前記チューナ部により受信し前記第２バッファに格納した前記第１の事業体の前記第２制御情報（ＥＣＭ）に対応した第２コマンド送信を前記ＣＡＳモジュールに対して行い、
前記第１バッファに前記チューナ部により受信した前記第１の事業体の前記第１制御情報（ＥＭＭ）が格納され、前記第２バッファに前記第１の事業体の前記第２制御情報（ＥＣＭ）が格納されていない場合には、前記ＣＡＳモジュールに対して前記第１の事業体の前記第１制御情報（ＥＭＭ）に対応した前記第１コマンド送信を行い、
前記第１バッファに前記チューナ部により受信した前記第１の事業体の前記第１制御情報（ＥＭＭ）が格納され、前記第２バッファに前記第１の事業体の前記第２制御情報（ＥＣＭ）が格納されている場合には、前記第１の事業体の前記第１制御情報（ＥＭＭ）に対応する前記第１コマンド送信を前記ＣＡＳモジュールに行うまでの間に、前記第１の事業体の前記第２制御情報（ＥＣＭ）に対応した前記第２コマンド送信を前記ＣＡＳモジュールに対して行い、
前記チューナ部により受信した前記第１の事業体の前記第１制御情報（ＥＭＭ）に対応した前記第１コマンド送信を行った後、前記第１バッファに格納した前記第１の事業体の前記第１制御情報（ＥＭＭ）を破棄し、
前記チューナ部により受信した第２の事業体の前記第１制御情報（ＥＭＭ）に対応した前記第１コマンド送信を行った後、前記第２バッファに格納した前記第２の事業体の前記第１制御情報（ＥＭＭ）を破棄する、送受信方法。
【手続補正２】
【補正対象書類名】明細書
【補正対象項目名】００１５
【補正方法】変更
【補正の内容】
【００１５】
実施形態によれば、地上デジタルテレビジョン放送、ＢＳデジタル放送および広帯域ＣＳデジタル放送の少なくとも１つを含む第１の事業体が放送する第１のサービス信号の送受信方法において、
送信側は、
送出部が、映像信号を含むコンテンツを送出すること、
ＥＭＭ送出部が、暗号化した第１キー（Ｋｗ）を含む前記第１の事業体の第１制御情報（ＥＭＭ）を送出すること、
ＥＣＭ送出部が、暗号化した第２キー（Ｋｓ）を含む前記第１の事業体の第２制御情報（ＥＣＭ）を送出すること、
スクランブラが、前記コンテンツを前記第２キー（Ｋｓ）でスクランブルすること、
多重化部が、前記スクランブルされた前記コンテンツ、前記第１の事業体の前記第１制御情報（ＥＭＭ）および前記第１の事業体の前記第２制御情報（ＥＣＭ）を多重化してストリームを出力すること、
を有し、
受信側は、
チューナ部が、前記第１の事業体が送出する前記第１のサービス信号を含む、前記地上デジタルテレビジョン放送、前記ＢＳデジタル放送および前記広帯域ＣＳデジタル放送の少なくとも１つを受信し、前記第１のサービス信号に含まれる、暗号化された前記第１キー（Ｋｗ）を含む前記第１の事業体の前記第１制御情報（ＥＭＭ）、暗号化された前記第２キー（Ｋｓ）を含む前記第１の事業体の前記第２制御情報（ＥＣＭ）ならびにスクランブルコンテンツを受信すること、
デスクランブラが、前記チューナ部から出力された前記スクランブルコンテンツをデス クランブルすること、
制御部が、
前記デスクランブラから出力される前記ストリームの所定のテーブルをチェックすること、前記所定のテーブルに含まれているパケットＩＤに基づいて、前記第１制御情報（ＥＭＭ）、前記第２制御情報（ＥＣＭ）を取り出すこと、前記チューナ部、前記デスクランブラを制御すること、
前記チューナ部により受信した前記第１の事業体の前記第１制御情報（ＥＭＭ）を第１バッファに格納し、前記チューナ部により受信した前記第１の事業体の前記第２制御情報（ＥＣＭ）を第２バッファに格納すること、
ＣＡＳモジュールが、前記制御部により制御され、前記第１の事業体の前記第１制御情報（ＥＭＭ）から、固有の第３キー（Ｋｍ）を用いて前記第１キー（Ｋｗ）を取得し、前記第１の事業体の前記第２制御情報（ＥＣＭ）から、取得された前記第１キー（Ｋｗ）を用いて、前記デスクランブラに与えるための前記第２キー（Ｋｓ）を取得すること、を備え、
さらに前記制御部は、
前記チューナ部により受信し前記第１バッファに格納した前記第１の事業体の前記第１制御情報（ＥＭＭ）に対応した第１コマンド送信を前記ＣＡＳモジュールに対して行う場合、所定の期間に第１コマンド送信を最小Ｒ（１以上の整数）個処理すべきことを前記第１の事業体あたりの処理頻度として設定しており、また前記チューナ部により受信し前記第２バッファに格納した前記第１の事業体の前記第２制御情報（ＥＣＭ）に対応した第２コマンド送信を前記ＣＡＳモジュールに対して行い、
前記第１バッファに前記チューナ部により受信した前記第１の事業体の前記第１制御情報（ＥＭＭ）が格納され、前記第２バッファに前記第１の事業体の前記第２制御情報（ＥＣＭ）が格納されていない場合には、前記ＣＡＳモジュールに対して前記第１の事業体の前記第１制御情報（ＥＭＭ）に対応した前記第１コマンド送信を行い、
前記第１バッファに前記チューナ部により受信した前記第１の事業体の前記第１制御情報（ＥＭＭ）が格納され、前記第２バッファに前記第１の事業体の前記第２制御情報（ＥＣＭ）が格納されている場合には、前記第１の事業体の前記第１制御情報（ＥＭＭ）に対応する前記第１コマンド送信を前記ＣＡＳモジュールに行うまでの間に、前記第１の事業体の前記第２制御情報（ＥＣＭ）に対応した前記第２コマンド送信を前記ＣＡＳモジュールに対して行い、
前記チューナ部により受信した前記第１の事業体の前記第１制御情報（ＥＭＭ）に対応した前記第１コマンド送信を行った後、前記第１バッファに格納した前記第１の事業体の前記第１制御情報（ＥＭＭ）を破棄し、
前記チューナ部により受信した第２の事業体の前記第１制御情報（ＥＭＭ）に対応した前記第１コマンド送信を行った後、前記第２バッファに格納した前記第２の事業体の前記第１制御情報（ＥＭＭ）を破棄する、送受信方法が提供される。